(57)【要約】【課題】建設廃棄物から骨材のみを抽出した後，骨材の外表面に付着したモルタル物質を効果的に剥離するとともに，適正な粒径に維持する再生骨材加工装置を提供する。【解決手段】ホッパー１０と，ホッパー１０の下端部に固定され，内面に凹凸部が形成された断面半円形の第１摩擦プレート２０と，第１摩擦プレート２０の半円形内周面から一定距離を維持し，外周面に凹凸部が形成された第１回転ドラム３０と，第１回転ドラム３０の回転軸の垂直下方から前方に突出して位置し，外周面に凹凸部が形成された第２回転ドラム４０と，第２回転ドラム４０の外周面から一定距離を維持し，第１摩擦プレート２０の反対側に固定され，内面に凹凸部が形成された断面半円形の第２摩擦プレート５０と，第２摩擦プレート５０の下端部に設けられる排出シュート６０とを含む再生骨材加工装置の提供により，再生骨材の吸水率の低下および強度増加をもたらすことが可能となる。【選択図】    図１
0003108007.tif 000002
【実用新案登録請求の範囲】
【請求項１】
再生骨材加工装置において：
骨材を投入するためのホッパーと；
前記ホッパーの下端部に固定され，内面に規則的または不規則的形状の凹凸部が複数形成された断面半円形の第１摩擦プレートと；
前記第１摩擦プレートの半円形内周面から一定距離を維持し，外周面に規則的または不規則的凹凸部が形成された第１回転ドラムと；
前記第１回転ドラムの回転軸の垂直下方から前方に突出して位置し，外周面に規則的または不規則的形状の凹凸部が形成された第２回転ドラムと；
前記第２回転ドラムの外周面から一定距離を維持し，前記第１摩擦プレートの反対側に固定され，内面に規則的または不規則的形状の凹凸部が複数形成された断面半円形の第２摩擦プレートと；
前記第２摩擦プレートの下端部に設けられた排出シュートと；
を含んでなることを特徴とする，再生骨材加工装置。
【請求項２】
前記第１回転ドラムと前記第２回転ドラムが，互いに相違する直径を有し，駆動可能に取り付けられることを特徴とする，請求項１に記載の再生骨材加工装置。
【請求項３】
前記第１回転ドラムと前記第２回転ドラムが，互いに相違する回転速度を有し，駆動可能に取り付けられることを特徴とする，請求項１に記載の再生骨材加工装置。
【請求項４】
前記第１摩擦プレートと前記第１回転ドラム間の間隔より，前記第２摩擦プレートと前記第２回転ドラム間の間隔が小さく設定されることを特徴とする，請求項１に記載の再生骨材加工装置。
【請求項５】
前記それぞれの回転ドラムを水平状態で移動させて，前記それぞれの摩擦プレートと回転ドラム間の間隔を容易に調節するため，前記それぞれの回転ドラムの回転軸に移動調節手段が設けられることを特徴とする，請求項１に記載の再生骨材加工装置。
【請求項６】
前記移動調節手段は，前記それぞれの回転ドラムの回転軸に結合されたラックギヤと，前記ラックギヤと噛み合うピニオンとからなることを特徴とする，請求項５に記載の再生骨材加工装置。
【請求項７】
前記移動調節手段は，前記それぞれの回転ドラムの回転軸に連結されたシリンダからなることを特徴とする，請求項５に記載の再生骨材加工装置。
【請求項８】
前記第１摩擦プレートの下端に設けられるエアブロアをさらに含むことを特徴とする，請求項１に記載の再生骨材加工装置。
【請求項９】
前記それぞれの摩擦プレートと前記それぞれの回転ドラムが一定間隔を介して金属性の外部ケースで取り囲まれることを特徴とする，請求項１に記載の再生骨材加工装置。
【請求項１０】
前記第２回転ドラムは，前記第１回転ドラムと同一水平線上に，またはそれより高い位置に位置することを特徴とする，請求項１に記載の再生骨材加工装置。
【考案の詳細な説明】
【技術分野】
【０００１】
本考案は，建設廃棄物の中間処理工程に付設される加工装置に関するものであり，特に，再生骨材加工装置に関するものである。
【背景技術】
【０００２】
コンクリートなどのセメント二次製品を用いる現代の各種構築物（例えば，道路，橋梁，ビルなど）は，その耐久性と様々な周囲要因によって，補修，補強，撤去または再建築が頻繁に行われている。建設廃棄物は，このような反復生産過程により増大し続けると考えられている。
【０００３】
建設廃棄物の発生現況については，大韓民国特許登録第２３５３１９号明細書（建設廃棄物処理と再活用のための中間処理方法およびその装置）に，その具体的な数値が開示されている。現在の廃コンクリート量の増加率を考慮しないとしても，引用資料当時において，廃コンクリートは年間約１０００万トンであり，建設廃棄物のおよそ１／３を占めていることが示されている。
【０００４】
建設廃棄物は，他の一般廃棄物とは異なり，人体に無害な無機物質からなっているため，その大部分が良質の有用材として再活用可能である。しかし，その処理プラント施設物の経済性対効用性の低下により，満足な成果を期待し難いのが実状である。
【０００５】
例えば，資源の効率的再活用を図るために，成土，覆土（埋め立てた廃棄物層を土砂で覆うこと），または埋め立て用にのみ活用された建設廃棄物の再活用処理を行うための様々な処理施設物が提案されている。その代表的な技術の一つである大韓民国特許登録第２３５３１９号明細書は，収集した建設廃棄物の投入から多段階に備えた破砕，選別および洗浄過程を経ることにより，金属および異物質の除去，および洗浄により廃木材などの浮遊物質も除去される。また，土砂分離と骨材の粒径分別も可能であって，建設廃棄物の基本的な中間処理装置として機能している。
【考案の開示】
【考案が解決しようとする課題】
【０００６】
しかし，このような処理過程により生産される骨材は，粒径が不良であるため，外観および付着力が低下する。また，吸水率が高いために強度が低下するなどの理由から，骨材の品質等級が非常に低い。そのため，骨材の効率的な使用が難しいという問題があった。
【０００７】
その原因としては，廃コンクリート塊に混在する再生骨材が，ジョークラッシャー，コーンクラッシャーおよびインパクトクラッシャーなどにより，段々小さい粒径に破砕された結果物をそのまま用いることにある。このような単純な破砕作業によっては，骨材の外表面に付着した，例えば，モルタルのような異物質を効果的に剥離することができないだけでなく，このようなモルタルにより粒径が不良になり，過度の吸水率を有するようになる。そのため，１種の再生骨材としては決して機能し得ないという欠陥があった。
【０００８】
このような問題点に鑑み，再生骨材の品質向上のために様々な方案が論議された結果，再生骨材の品質は，破砕して抽出した骨材の外表面の加工によることが確認された。また，再生骨材の品質の向上は，破砕技術の改善により達成できるとされている。
【０００９】
そのため，大韓民国特許登録第２３５３１９号明細書の以後に提案されているほとんどの技術は，この明細書の破砕機能を一部補完して，再生骨材の外表面に付着したモルタルを除去することにその焦点が当てられた。
【００１０】
しかし，このような後続の技術は，単に外表面が凹凸状に形成された加圧型ロールクラッシャー（またはミリングシャフト）の回転力を用いて，このロールクラッシャーを通過する骨材の外表面を剥離するように（削るように）考案したものである。そのため，骨材の投入から排出までの一連の過程は一般的ではなく，骨材の粒径別間隔調節が困難であるため，一定粒径の骨材のみを制限的に選別した。
【００１１】
さらに，ロールクラッシャーの回転力および直径が，投入される骨材の性質（外径の状態）によらず一定であった。そのため，効率の向上には限界があり，運転中に機械的負荷が増加して，耐久性に問題が発生するか，または骨材に過度な圧力を与える可能性が高かった。
【００１２】
また，剥離過程で発生する微粉とモルタル屑の処理施設もほとんど備えていないため，質の高い骨材など，満足な結果物を得ることは困難であった。したがって，従来提案された装置のほとんどが現場に設置されるには至らなかった。
【００１３】
そこで，本考案は，このような問題に鑑みてなされたもので，その目的は，建設廃棄物の中間処理過程で，破砕および選別により生産される再生骨材を収容した後，その外表面に付着したモルタルのような異物質を効率よく除去することにより，外形の不良を著しく減少させるとともに，吸水率の低下および強度増加をもたらして，天然骨材とほとんど相違のない再生骨材を提供することにある。
【００１４】
本考案の他の目的は，モルタルの除去と同時に発生する微粉およびモルタル屑を効果的に除去することにある。
【００１５】
本考案のさらに他の目的は，投入される再生骨材の粒径に応じて，これを加圧する回転ドラムの間隔が自由に調節できるようにすることにある。
【００１６】
本考案のさらに他の目的は，骨材の外表面の加工作業で発生する騒音および振動を効果的に減少させることにある。
【課題を解決するための手段】
【００１７】
上記課題を解決するために，本考案のある観点によれば，再生骨材加工装置において，骨材を投入するためのホッパーと；ホッパーの下端部に固定され，内面に規則的または不規則的形状の凹凸部が複数形成された断面半円形の第１摩擦プレートと；第１摩擦プレートの半円形内周面から一定距離を維持し，外周面に規則的または不規則的凹凸部が形成された第１回転ドラムと；第１回転ドラムの回転軸の垂直下方から前方に突出して位置し，外周面に規則的または不規則的凹凸部が形成された第２回転ドラムと；第２回転ドラムの外周面から一定距離を維持し，第１摩擦プレートの反対側に固定され，内面に規則的または不規則的形状の凹凸部が複数形成された断面半円形の第２摩擦プレートと；第２摩擦プレートの下端部に設けられる排出シュートと；を含む再生骨材加工装置を提供する。
【００１８】
第１回転ドラムと第２回転ドラムとは，互いに異なる直径を有し，駆動可能に取り付けられるのがよい。
【００１９】
第１回転ドラムと第２回転ドラムとは，互いに異なる回転速度で回転し，駆動可能に取り付けられるのがよい。
【００２０】
上記のように，第１回転ドラムと第２回転ドラムの直径および回転速度を変化することで，骨材にかかる力を強くしたり弱くしたりすることができ，骨材の特性に合った破砕処理が可能となる。
【００２１】
また，第１摩擦プレートと第１回転ドラム間の間隔に比べ，第２摩擦プレートと第２回転ドラム間の間隔が小さく設定されるのがよい。骨材が第１摩擦プレートと第１回転ドラム間を通過すると，骨材は削られ，その大きさが小さくなるからである。
【００２２】
それぞれの回転ドラムを水平状態で移動して，骨材の大きさによってそれぞれの摩擦プレートと回転ドラム間の間隔が容易に調節できるようにするため，それぞれの回転ドラムの回転軸に移動調節手段が設けられるのがよい。
【００２３】
この移動調節手段は，それぞれの回転ドラムの回転軸に結合されたラックギヤと，ラックギヤと噛み合うピニオンとから構成することもできる。
【００２４】
また，移動調節手段は，それぞれの回転ドラムの回転軸に連結されたシリンダにより構成することも可能である。
【００２５】
骨材剥離過程で発生する微粉またはモルタル屑が累積しないで落下するようにするため，第１摩擦プレートの下端にエアブロアをさらに設けるのがよい。
【００２６】
骨材の外表面加工作業中に発生する騒音および振動と，作業者の負傷を防止するため，それぞれの摩擦プレートと回転ドラムが一定間隔を介して金属性の外部ケースで取り囲まれるのがよい。
【００２７】
第２回転ドラムは，第１回転ドラムと同一水平線上に，またはそれより高い位置に位置するのがよい。これにより，骨材が下方ではなく水平または上方に徐々に移動しながら加工されるようになる。
【考案の効果】
【００２８】
本考案によれば，骨材の外表面加工（モルタル剥離）のための作業工程において，騒音および振動を効果的に減少させることができるだけでなく，落下する骨材を収容し，これを反復的に摩擦，加圧させながら，２次に備えられた摩擦，加圧段階に誘導する。これにより，再生骨材の外表面に付着して骨材の粒径不良および付着力低下を引き起こしたり，吸水率を増大させる，例えば，モルタルのような異物質を効果的に除去することができ，質の高い再生骨材を提供することが可能となる。
【００２９】
また，天然骨材と同等の高い品質を維持したままで建築施工現場に投入でき，良質の有用材として使用できるなど，資源の効率的再活用を図ることができる。
【考案を実施するための最良の形態】
【００３０】
以下に添付図面を参照しながら，本考案の好適な実施の形態について詳細に説明する。なお，本明細書および図面において，実質的に同一の機能構成を有する構成要素については，同一の符号を付することにより重複説明を省略する。
【００３１】
（第１の実施形態）
図１は，第１の実施形態における加工装置の全体構造を示す斜視図である。
【００３２】
図１のような構造を適用するため，まず，収集した建設廃棄物を処理するための中間処理過程について説明する。中間処理過程に投入される建設廃棄物は，１次破砕機であるジョークラッシャーによる破砕，選別スクリーンによる選別，および洗浄の過程を経る。これにより，金属成分，土砂などの異物質および浮遊物質の除去された骨材が得られ，これらの骨材は，さらに，２次破砕機であるインパクトクラッシャーにより一定の粒径単位に破砕されて選別される。第１の実施形態の加工装置は，このような一連の過程の後に設けて，全体中間処理装置の一要素とすることが好ましい。
【００３３】
第１の実施形態の加工装置は，骨材の状態またはクラッシャーの構造転換によって（例えば，１次ジョークラッシャーの代わりにインパクトクラッシャーを装着），２次破砕機の形態として装着することができる。本実施形態の加工装置の後に，別途の洗浄設備を備えるか，再循環過程を備えて，破砕された骨材の粒径によって再加工することもできる。しかし，これらは，設置，運営上の条件によって選択できるものであり，第１の実施形態の加工装置を一つの独立した装置として運営することも可能である。
【００３４】
図１に示すように，第１の実施形態の加工装置を構成する主要構成要素としては，先工程により１次または２次に破砕された骨材を，移送手段により投入するホッパー１０と，ホッパー１０の下端部から投入される骨材を順次収容し，斜めにスライド落下する骨材を反復して摩擦および加圧させることで，骨材の表面に付着したモルタルなどの異物質を剥離する断面半円形の第１摩擦プレート２０および第１回転ドラム３０と，第１回転ドラム３０の回転軸３２の垂直下方の前方に突出して設けられる第２回転ドラム４０および第２摩擦プレート５０と，第２摩擦プレート５０の下端部に延設される排出シュート６０とを含む。
【００３５】
ホッパー１０は，骨材の連続投入による破損または部分損傷を防止するため，耐久性の高い材質で構成しなければならない。図１のように，上側から投入される骨材を下端の一側方向に落下させるため，骨材が所定の一方向に向かうように，排出口１１を配置する。
【００３６】
第１摩擦プレート２０は，耐久性の高い金属材から構成されるもので，排出口１１から落下する骨材を自然に受け取ることが可能な位置に設けられる。骨材が半円形の内周面に沿ってスライドするように，角度調節可能な断面半円形の形状に設けられ，その内面には，一定程度以上の耐摩耗性を有する規則的なギヤ状，または不規則的な形状の凹凸部２１が複数設けられている。
【００３７】
第１回転ドラム３０は，図２Ａ，図２Ｂおよび図２Ｃに示すように，その半径が，第１摩擦プレート２０の半円形内周面の半径よりやや小さく形成され，第１摩擦プレート２０の内周面から離隔して位置する。別途の動力発生手段，減速手段および制御手段により，十分な回転力で駆動される。この際，投入される加工対象の骨材の粒径（約６０ｍｍ）によって，第１摩擦プレート２０と第１回転ドラム３０との間隔（β）が設定される。
【００３８】
第１回転ドラム３０の外周面にも，規則的なギヤ状，または不規則的な形状の凹凸部３１が均等に形成されているので，骨材の表面剥離に非常に効果的である。
【００３９】
第２回転ドラム４０は，図２Ａに示すように，第１回転ドラム３０の垂直下方から前方に突出して設置される。即ち，第１回転ドラム３０の回転軸３２から垂直線を描くと，第２回転ドラム４０の回転軸４２は，回転軸３２の垂直線が前方に角度（α）だけ傾いた状態の斜線上に位置することになる。
【００４０】
このように，第２回転ドラム４０の回転軸４２を角度（α）だけ前方に傾けたことは，投入されて破砕および剥離される骨材が，１次剥離および２次剥離される過程を自然にスライドしながら経るようにするためである。第２回転ドラム４０も，加工に必要な回転力を考慮すると，別途の動力発生手段，減速手段および制御手段により駆動されるようにすることが好ましい。
【００４１】
また，第２回転ドラム４０が第１回転ドラム３０の回転に連動するように，相互ベルトまたはチェーンで連結して，回転駆動を一体化することもできる。しかし，骨材剥離の効率を高めるためには，第１回転ドラム３０および第２回転ドラム４０が互いに反対方向に回転する（骨材が下方にスライドする）ことが必要であるので，それぞれ別途の動力発生手段を設けることが好ましい。
【００４２】
この際，第１摩擦プレート２０の下端は，第２回転ドラム４０と第２摩擦プレート５０との間に，骨材が自然に入るようにするガイド機能を有するように曲がり，第２回転ドラム４０の外周面に近く伸びている。一方，第２摩擦プレート５０の上端は第１回転ドラム３０側に傾いているので，スライドする骨材が本実施形態の加工装置の外部に離脱することを防止することができる。
【００４３】
また，図２Ａ，図２Ｂおよび図２Ｃに示すように，第２摩擦プレート５０と第２回転ドラム４０は，骨材の大きさによって正確に計算された間隔（β′）を維持するように設計される。ここで，第１回転ドラム３０により１次剥離された骨材（剥離前より粒径は縮小している）を考慮すると，この間隔は，第１回転ドラム３０と第１摩擦プレート２０間の間隔よりやや小さく設定することが好ましい。
【００４４】
また，第１回転ドラム３０および第２回転ドラム４０の回転速度が異なるように設定して，破砕（剥離）の機能向上を図ることもできる。必要に応じて，各回転ドラムの設置数を，この実施形態の二つ以上に増加させることもできる。
【００４５】
図２Ａ，図２Ｂおよび図２Ｃは，加工の効率のために変形可能な，図１の基本構造の変形部を示す側断面図である。
【００４６】
図２Ａ，図２Ｂおよび図２Ｃの実施例は，回転ドラムの直径をそれぞれ相違するように設定して，骨材の外表面剥離の効率性を変化させたものである。これは駆動される回転ドラムの回転比にも関係するもので，図２Ａのように，骨材の特性またはモルタルのような異物質の強度を考慮すると，第１回転ドラム３０の速くて強い駆動力により１次表面剥離された骨材が，第１回転ドラム３０より多少大きい直径の第２回転ドラム４０により多少弱い回転力により，骨材の表面に対して細かい破砕過程を行うことが好ましいこともある。
【００４７】
図３は，第１の実施形態の加工装置に，さらに付設可能な構成部を示す断面図である。骨材の外表面を加工する本実施形態の加工装置の特性上，騒音および振動の発生が激しいのは十分予想できる。また，作業過程で発生する微粉または飛散するモルタル屑により，作業者が負傷する恐れや，環境汚染の要因となる可能性がある。そこで，別途の金属性外部ケース７０を設けて，ホッパー１０とともに本考案の加工装置の外周面を取り囲むことも必要である。
【００４８】
このような外部ケースが取り付けられた加工装置の外観を，図６に示している。
【００４９】
ここで，１次骨材表面加工作業で排出される微粉およびモルタル屑は，発生時にすぐ除去しないと，累積して，回転ドラムの駆動の干渉要因のひとつとして作用する可能性がある。微粉の除去のためには，第１摩擦プレート２０の下端延長部に向けて空気圧を噴射させることにより，異物の累積を防止する。このため，第１摩擦プレート２０の後端の外部ケース７０の一部に，エアブロア８０を取り付け，空気圧で除去することができる。この際，除去されたモルタル屑と微粉は，第２回転ドラム４０と第１摩擦プレート２０の下端間の隙間を介して落下する。この落下物を，加工骨材と区分して外部へ排出するため，第２回転ドラム４０の下端部の，第２摩擦プレート５０とは反対方向に突出した積載部９０がさらに設けられる。
【００５０】
図４Ａおよび図４Ｂは，第１の実施形態において，回転ドラムが水平状態で移動できるようにする細部構造を示すものである。例えば，図１に示すように，第１回転ドラム３０および第２回転ドラム４０は，投入して加工しようとする骨材の粒径を十分考慮して，第１摩擦プレート２０および第２摩擦プレート５０との間隔が初期に設定されている。しかし，粒径に応じてこの間隔を調節する必要がある場合がある。また，相違した粒径の骨材が投入される場合，回転ドラムの駆動力に障害を与えたり磨耗率が増加することを防止するため，回転ドラムの位置調節が必要となる。
【００５１】
上記のことから，図４Ａは，第１回転ドラム３０の回転軸３２または第２回転ドラム４０の回転軸４２を回動自在にするための移動調節手段として，ベアリング１０１が嵌着されたラックギヤ１００が水平状態に設けられ，平常時にこれと噛み合っているピニオン１１０が設けられている。移動の必要がある場合には，外部の動力発生手段によりピニオン１１０が作動して，ラックギヤ１００を移動させるように構成される。
【００５２】
この際，回転ドラムの移動距離は，ラックギヤ１００とピニオン１１０のギヤ比によって決定されるもので，各ギヤのピッチと骨材の粒径は，別途の制御手段により予め算定しておく必要がある。
【００５３】
この場合，回転ドラムの移動に従い，各回転ドラムの周辺部品も同伴して移動する必要がある。しかし，これは主に回転軸３２，４２の部分で解決すべき問題であり，過度な距離移動でなければ，屈折ジョイントを用いることにより解決することができる。
【００５４】
図４Ｂは，回転軸３２，４２の一側に直接水平方向にシリンダ１２０を付着することで，所望距離だけ回転ドラムを引き付ける，または押し出すことができる。この場合にも，屈折ジョイントを回転軸３２，４２の所定位置に提供する必要がある。
【００５５】
（第１の実施形態の効果）
以上のように，第１の実施形態より，骨材の外表面加工の作業工程において，騒音および振動を効果的に減少させることができるだけでなく，再生骨材の粒径不良および付着力低下を引き起こしたり，吸水率を増大させる異物質を効果的に除去することができ，質の高い再生骨材を提供することが可能となる。また，回転ドラムが水平状態で移動できるようにする構造を有することにより，粒径に応じて回転ドラムと摩擦プレートとの間隔を容易に調節することが可能となる。
【００５６】
（第２の実施形態）
図５では，以上のような構成とは異なる，第２の実施形態を示す。
【００５７】
第２の実施形態によると，骨材の剥離作用をより効率的にするため，投入される骨材が第１摩擦プレート２０および第２摩擦プレート５０と，第１回転ドラム３０および第２回転ドラム４０間の空間でより長い時間留まるようにする。骨材間の摩擦作業を極大化するとともに，機械的加工作業に徐々に進入するようにするため，第１摩擦プレート２０および第１回転ドラム３０の水平軸と同一線上に，またはそれより高い位置に第２摩擦プレート５０および第２回転ドラム４０を配設することにより，骨材が下方でなく水平または上側方向に徐々に移動しながら加工されるようにする。
【００５８】
この場合においても，骨材加工中に発生する微粉またはモルタル屑が逆方向に落下する可能性が高いので，第１回転ドラム３０および第２回転ドラム４０との間に，別途の選別スクリーンを設けることもできる。
【００５９】
つぎに，このような構造を有する第２の実施形態が，建設廃棄物中間処理装置の一要素として設置される場合を想定して，具体的に説明する。収集された建設廃棄物が１次ジョークラッシャーによりおよそ２００ｍｍ以下の骨材に破砕された後，さらに２次インパクトクラッシャーによりおよそ８０ｍｍ以下の粒径（好ましくはおよそ６０ｍｍの粒径）に破砕される。移送コンベヤベルトにより，第２の実施形態の加工装置におけるホッパー１０を介して投入されると，排出口１１から落下する角度により，第１摩擦プレート２０と第１回転ドラム３０間の空間に骨材が投入され，投入された骨材は，第１回転ドラム３０の駆動力により矯正に下方に押し出されてスライドする。
【００６０】
この際，第１摩擦プレート２０と第１回転ドラム３０間に詰まった骨材は，第１摩擦プレート２０の凹凸部２１と第１回転ドラム３０の凹凸部３１による過度な表面加圧力と摩擦力により，骨材より強度が弱くて壊れやすい表面上の，例えば，モルタルのような異物質が除去される。この過程で，一部骨材の破損も予想されるが，このときに破損される骨材は既に外力により強度が著しく低くなったものが大部分であり，骨材として使用されると却って好ましくないことがある。第２の実施形態の加工装置により予め破損処理されることがよい。
【００６１】
また，このように表面加工された骨材は，逆方向に（下方向に）駆動される第２回転ドラム４０により，表面加工仕上げ過程を受ける。１次表面加工作業により，骨材の外表面をなすモルタルの大部分が除去され，角石，片石などが占めているので，１次加工作業時より小さくなった間隔（β′）のため，より遅い速度と長い時間で作業することにより，１次加工時よりも精密な表面加工作業がされる。このような過程により生産された骨材は，排出シュート６０を介して外部へ排出され，平板または円形トロンメルスクリーンにより粒径選別される。その後，必要に応じてフィードバック工程によりホッパー１０に再び投入することもできる。
【００６２】
（第２の実施形態の効果）
以上のように，第２の実施形態では，より長い時間をかけて加工処理を行うため，骨材の剥離作用をより効率的にすることが可能となる。
【００６３】
以上，添付図面を参照しながら本考案の好適な実施形態について説明したが，本考案は係る例に限定されないことは言うまでもない。当業者であれば，実用新案請求の範囲に記載された範疇内において，各種の変更例または修正例に想到し得ることは明らかであり，それらについても当然に本考案の技術的範囲に属するものと了解される。
【産業上の利用可能性】
【００６４】
本考案は，建設廃棄物の中間処理工程に付設される加工装置に適用可能であり，特に再生骨材加工装置に適用可能である。
【図面の簡単な説明】
【００６５】
【図１】第１の実施形態による再生骨材加工装置の全体構造を示す斜視図である。
【図２Ａ】図１の第１の実施形態による加工装置の加工効率を増大させるために一部が変形された実施例を示す側断面図である。
【図２Ｂ】図１の第１の実施形態による加工装置の加工効率を増大させるために一部が変形された実施例を示す側断面図である。
【図２Ｃ】図１の第１の実施形態による加工装置の加工効率を増大させるために一部が変形された実施例を示す側断面図である。
【図３】第１の実施形態による加工装置に，さらに設けられる構成部を示す側断面図である。
【図４Ａ】第１の実施形態による回転ドラムを水平状態で移動できるようにする構造を示す斜視図である。
【図４Ｂ】第１の実施形態による回転ドラムを水平状態で移動できるようにする構造を示す斜視図である。
【図５】第２の実施形態による加工装置を示す側断面図である。
【図６】第１の実施形態による加工装置に外部ケースが設けられた状態を示す斜視図である。
【符号の説明】
【００６６】
１０    ホッパー
１１    排出口
１０    第１摩擦プレート
２１，３１    凹凸部
３０    第１回転ドラム
３２，４２    回転軸
４０    第２回転ドラム
５０    第２摩擦プレート
６０    排出シュート
７０    外部ケース
８０    エアブロア
９０    積載部
１００    ラックギヤ
１０１    ベアリング
１１０    ピニオン
１２０    シリンダ
【図１】
0003108007.tif 000003
【図２Ａ】
0003108007.tif 000004
【図２Ｂ】
0003108007.tif 000005
【図２Ｃ】
0003108007.tif 000006
【図３】
0003108007.tif 000007
【図４Ａ】
0003108007.tif 000008
【図４Ｂ】
0003108007.tif 000009
【図５】
0003108007.tif 000010
【図６】
0003108007.tif 000011